(57)【要約】【課題】装置本体に格納された情報を格納する記憶手段に対する外部との接触を防止すると共に該情報及び記憶手段の破損を防止しつつ、装置本体に対して仕様の異なるユニットの誤装着を防止することが可能なトナー含有ユニット及びそれを備えた画像形成装置を提供する。【解決手段】トナーコンテナ４４のトナー充填部１０の内側面に配置された貼付面７７には、両面テープ６７、６３により防振板６５を介してＲＦＩＤメモリ６１が接着され、ＲＦＩＤメモリ６１の内側面には両面テープ６９により絶縁板７１が接着され、絶縁板７１の内側面には両面テープ７３により補強板７５が接着されている。【選択図】図６
2010032948.tif 000002
【特許請求の範囲】
【請求項１】
装置本体に着脱可能であり、内部にトナーを含有するケーシングを備えたトナー含有ユニットであって、
装置本体に設けられた読取手段により非接触に読み取り可能であり、装置本体の仕様に関する情報が格納された記憶手段を有し、
該記憶手段は、防振部材を介して前記ケーシングの内側面に接着されることを特徴とするトナー含有ユニット。
【請求項２】
前記記憶手段の内側面に、絶縁部材が接着されたことを特徴とする請求項１に記載のトナー含有ユニット。
【請求項３】
前記絶縁部材の内側面に、補強部材が接着されたことを特徴とする請求項２に記載のトナー含有ユニット。
【請求項４】
前記情報が、書き換え不能であることを特徴とする請求項１〜３のいずれかに記載のトナー含有ユニット。
【請求項５】
請求項１〜４のいずれかに記載のトナー含有ユニットを備えた画像形成装置。
【発明の詳細な説明】
【技術分野】
【０００１】
本発明は、電子写真方式を用いる複写機、プリンター等の画像形成装置において、装置本体に着脱自在に装着されるユニットに関するものである。
【背景技術】
【０００２】
近年、画像形成装置本体に着脱されるプロセスカートリッジが普及している。この種のプロセスカートリッジとして、例えばトナーコンテナが用いられている。
【０００３】
従来、新旧装置本体の相違等により、装置本体の機種間でトナーコンテナの仕様が異なる場合があった。このため、トナーコンテナの一部を対応する仕様ごとに異なる形状等にすることにより機種間の互換性をなくし、装置本体に対して使用可能なトナーコンテナであるか否かを判別可能としていた。
【０００４】
しかし、このように各仕様で異なる形状にすると、トナーコンテナの共通部品化を図ることが困難になる。また、各仕様で共通の形状とした場合、仕様の異なるトナーコンテナが装置本体に装着されると、適正な画像が得られないおそれや、機内へトナーの飛散が発生するおそれがある。
【０００５】
また、トナーの飛散が発生すると、形成した画像への飛散トナーの落下、紙詰まり、電気的接点不良、ＬＳＵミラーレンズへの付着、飛散トナーの冷却ファンから機外への排出による粉塵発生や汚染等を招くおそれがある。さらに、飛散トナーが、感光体ドラム、現像スリーブ、転写ベルト等、各プロセスユニット内の機能部品に付着するおそれもある。さらに、飛散トナーが装置本体外部に放出されるおそれもある。
【０００６】
そこで、装置本体の仕様に関する情報を格納したメモリを備え、該メモリを読み取ることにより各トナーコンテナの仕様を判別可能にする方法が用いられている。かかるメモリとして、装置本体の電源切断時にもデータが記憶されるように不揮発性メモリが用いられることが多い。
【０００７】
例えば、特許文献１には、交換可能なカートリッジにその使用を監視するためのオンボードメモリを設け、作成されたイメージをカウントし、カートリッジのメモリに残されている現在イメージカウントを更新して記憶させ、現在イメージカウントがプリセット終了カウントに等しい場合、カートリッジをそれ以後使用不能にすることにより、一定品質のイメージを保証する方法が開示されている。
【０００８】
また、特許文献２には、感光体ドラムと、プロセスカートリッジを装置本体に装着する際の位置決め部と、プロセス手段と、記憶部材と、プロセスカートリッジが装置本体に装着された際に下方に位置する部分に下向きに接続端子の部分を露出して配置されたコネクタと、を有し、プロセスカートリッジを位置決め部を中心にして下方へ回動させる際に、アース接続端子が他の接続端子よりも最初に本体接続端子と電気的に接続することにより、記憶部材に電気的損傷を与えないようにする方法が開示されている。
【０００９】
しかし、特許文献１及び２に開示されたメモリや記憶部材は、装置本体の読取装置と接触させて格納された情報を読み取る接触式であるため、装置本体と電気的に接続するためのコネクタや配線が必要となる。そこで、格納された情報を非接触式に読み取り可能な不揮発性メモリを用いる方法が提案されている。
【００１０】
例えば、特許文献３には、画像形成装置に使用される消耗材を内在し、出荷地域を特定する仕向コードを記憶する記憶手段を搭載する交換可能な消耗材ユニットと、複数の出荷地域別制御データを格納する主記憶部とを備え、消耗材ユニットの装着を検知したとき、仕向コードにより特定される出荷地域に該当する制御データを読み出し、これに基づき各部のチューニングを行うことにより、消耗材ユニットの異なる出荷地域間で装置本体が移動された場合でも、出荷地域に合わせた最適条件に装置本体をチューニングすることを可能とする方法が開示されている。
【特許文献１】特許第２６０２３４１号公報
【特許文献２】特許第３３３２８１８号公報
【特許文献３】特開２００４−３４７９４０号公報
【発明の開示】
【発明が解決しようとする課題】
【００１１】
しかし特許文献３の様に、非接触型の不揮発メモリ（ＲＦＩＤメモリ）を用いても、消耗材ユニット（トナー含有ユニット）の外側にＲＦＩＤメモリを配置する場合には、ＲＦＩＤメモリが故意や外部環境との接触等により剥離されるおそれがある。また、外部環境との接触等により格納されたデータが消失するおそれがある。そこで、ＲＦＩＤメモリをプロセスカートリッジの内側に配置することが考えられる。
【００１２】
この場合には、ＲＦＩＤメモリを配置した状態でトナーを充填し、カートリッジケースを超音波融着する必要がある。また、再利用に際し、トナーを再充填するための清掃等が行われる場合もある。このため、ＲＦＩＤメモリを単にプロセスカートリッジの内側に配置するだけでは、上記工程等において発生する振動や衝撃等により、ＲＦＩＤの破損や内部データの破損が生じるおそれがある。
【００１３】
本発明は上記事情に鑑み、装置本体に格納された情報を格納する記憶手段に対する外部との接触を防止すると共に該情報及び記憶手段の破損を防止しつつ、装置本体に対して仕様の異なるユニットの誤装着を防止することが可能なトナー含有ユニット及びそれを備えた画像形成装置を提供することを目的とする。
【課題を解決するための手段】
【００１４】
上記目的を達成するために本発明は、装置本体に着脱可能であり、内部にトナーを含有するケーシングを備えたトナー含有ユニットであって、装置本体に設けられた読取手段により非接触に読み取り可能であり、装置本体の仕様に関する情報が格納された記憶手段を有し、該記憶手段は、防振部材を介して前記ケーシングの内側面に接着されることを特徴としている。
【００１５】
また、本発明は、前記記憶手段の内側面に、絶縁部材が接着されたことを特徴としている。
【００１６】
また本発明は、前記絶縁部材の内側面に、補強部材が接着されたことを特徴としている。
【００１７】
また本発明は、前記情報が、書き換え不能であることを特徴としている。
【００１８】
また本発明は、前記トナー含有ユニットを備えた画像形成装置である。
【発明の効果】
【００１９】
本発明の第１の構成によれば、装置本体に設けられた読取手段により非接触に読み取り可能であり、装置本体の仕様に関する情報が格納された記憶手段を、防振部材を介してトナー含有ユニットのケーシングの内側面に接着することにより、記憶手段に対する外部との接触を防止することができため、記憶手段の剥離や破損を防止することができる。
【００２０】
さらに、該ユニットに振動等が発生しても格納された情報及び記憶手段の破損を防止することができる。加えて、装置本体に対して仕様の異なるユニットの誤装着を防止することが可能となり、かかる誤装着によって生じる画像形成不良やトナーの飛散等による装置本体内外に対する不具合を防止することができる。
【００２１】
また、本発明の第２の構成によれば、上記第１の構成のトナー含有ユニットにおいて、前記記憶手段の内側面に、絶縁部材を接着することにより、トナーの摩擦等によって静電気が発生しても、かかる静電気による記憶手段に格納された情報の破損を防止することができる。
【００２２】
また、本発明の第３の構成によれば、上記第２の構成のトナー含有ユニットにおいて、絶縁材料の内側面に、補強部材を接着することにより、振動等によって発生するトナーの記憶手段への衝突を防止し、記憶手段の破損を、より防止することができる。
【００２３】
また、本発明の第４の構成によれば、上記第１〜第３のいずれかの構成のトナー含有ユニットにおいて、上記情報を、書き換え不能とすることにより、装置本体に装着されるまでに格納されたデータの改変等がなされることを防止することができる。
【００２４】
また、本発明の第５の構成によれば、上記第１〜第４のいずれかの構成のトナー含有ユニットを備えた画像形成装置とすることにより、仕様の異なるトナー含有ユニットが誤装着された状態で画像形成を行うことを防止することができるため、画質の低下やトナーの飛散等を防止することができる。
【発明を実施するための最良の形態】
【００２５】
以下、図面を参照しながら本発明の実施形態を詳細に説明する。図１は、本実施形態に係るトナーコンテナが装着された画像形成装置（例えばプリンタ）の一例の全体構成を示す概略断面図である。以下の説明ではモノクロ画像形成装置を一例として説明するが、本発明はモノクロ画像形成装置だけでなく、カラーの画像形成装置にも応用することができる。
【００２６】
この画像形成装置１００は、感光体ドラム４１、帯電部４２、画像書込部（レーザスキャンユニット）４３、現像ユニット２１、トナーコンテナ（トナー含有ユニット）４４、トナーコンテナ検知センサ（読取手段）４５、転写部４６、クリーニング部４７、シート収容部５１、搬送部５２、定着部５３、および排紙部５４から構成されている。
【００２７】
感光体ドラム４１は、例えばアルミドラムに感光層が積層されたものであり、帯電部（帯電チャージャー）４２により、表面が一様に帯電される。そして、後述する画像書込部（ＬＳＵ）４３からのレーザビームの照射を受け、表面の帯電が減衰し、静電潜像が形成される。なお、上記感光層としては、特に限定されないが、例えば耐久性に優れるアモルファスシリコン（ａ―Ｓｉ）等が用いられる。
【００２８】
帯電部（帯電チャージャー）４２は、例えば、細いワイヤー等を電極とし、高電圧の印加によって放電（例えば、コロナ放電）し、感光体ドラム４１の表面を帯電させる。
【００２９】
画像書込部（ＬＳＵ）４３は、画像データに基づき、光ビーム（例えばレーザビーム）を感光体ドラム４１に照射する。尚、画像データは不図示のパーソナルコンピューター（ＰＣ）から送信される。
【００３０】
現像ユニット２１は、感光体ドラム４１の静電潜像にトナーを付着させ、トナー像を形成させる。なお、現像ユニット２１に収容されている現像剤としては、例えばトナーとキャリアとから構成される２成分現像剤やトナーのみから構成される１成分現像剤が挙げられる。
【００３１】
トナーコンテナ４４は、画像形成装置１００に着脱自在に設けられており、トナーを貯留し、現像ユニット２１内部にトナーを補給する。トナーコンテナ検知センサ４５は、トナーコンテナ４４の装着の有無等を検知する。なお、トナーコンテナ４４、トナーコンテナ検知センサ４５の詳細については後述する。
【００３２】
転写部４６は、感光体ドラム４１表面に形成されたトナー像を乱すことなく、搬送部５２から搬送されてくるシートに移行させる。クリーニング部４７は、トナー像がシートに移行（転写）された後、感光体ドラム４１の表面に残ったトナー（残留トナー）を除去する。例えば、感光体ドラム４１の長手方向に線接触するブレード材等が挙げられる。シート収容部５１は、最終的に画像（トナー像）が印刷されるシート（用紙やＯＨＰ等）を収容するとともに、搬送部５２にシートを送り出す。
【００３３】
搬送部５２は、シート収容部５１から排紙部５４までのシートの通路である。また、定着部５３は、シートに転写されたトナー像を安定な永久像とさせる。例えば熱や圧力等のエネルギーを付与することにより、粉体状態のトナー像を溶融させる。排紙部５４は、定着部５３を経たシート、すなわち永久像が印刷されたシートを収容する。
【００３４】
そして、予め入力された画像データに基づき、ＬＳＵ４３が感光体ドラム４１上にレーザビーム（光線）を発することによって、当該データに基づく静電潜像を感光体ドラム４１表面に形成させる。その後、現像ユニット２１が、静電潜像にトナーを付着させ、トナー像を形成させるとともに、転写部４６が、シートにトナー像を転写させる。次に、定着部５３が、トナー像の転写されたシートに熱等を加え、永久像とさせる。
【００３５】
図２は、本実施形態に係るトナーコンテナの概略平面図であり、図３は、図２の矢印Ａ方向から見た側面断面図、図４はトナーコンテナを下方向から見た斜視図である。図２〜図４に示すように、トナーコンテナ４４は、トナー充填部１０と蓋体１１とから成るケーシング９から構成されている。
【００３６】
上面が開口された筐体であるトナー充填部１０は、底面部１３、両側面部１４ａ及び１４ｂ並びに両端面部１５及び１６を有する。両側面部１４ａ及び１４ｂは、底面部１３の両側縁から略鉛直に上方に延びている。片端面部１５は底面部１３の片端縁から実質上鉛直に上方に延び、他端面部１６は底面部１３の他端縁から実質上鉛直に上方に延びている。
【００３７】
底面部１３には長方形の排出口８が形成されている。蓋体１１は超音波溶着等の適宜の手段によってトナー充填部１０に固定され、上面を閉じる上壁を構成する。尚、図２では、トナーコンテナ４４の内部を判り易くするため、蓋体１１を開けた状態で示した。
【００３８】
トナーコンテナ４４内には、底面部１３に沿って平行に延在された攪拌部材２と搬送部材３が配設されている。攪拌部材２は回転軸２ａとアーム部２ｂと該アーム部に固定された攪拌片５、仕切り部６とから構成されている。回転軸２ａはトナー充填部１０の両端面部１５及び１６間に回転自在に支持され、その一端は端面部１５を貫通して突出され、突出端部に配設された駆動ジョイントギア１８を介して、画像形成装置１００に連係されている。
【００３９】
搬送部材３は中心軸部３ａと螺旋羽根３ｂとを有する回転螺旋羽根部材から構成されており、トナー充填部１０の両端面部１５及び１６間に回転自在に装着されている。中心軸部３ａの一端は端面部１５を貫通して突出し、突出端部に配設された搬送用ギア１９を介して上記駆動ジョイントギア１８に連係されている。
【００４０】
そして、画像形成装置において、トナーコンテナ４４内のトナーがなくなった際、予めトナーが充填された別の新たなトナーコンテナ４４に交換することによって、当該トナーコンテナ４４へのトナー補給が容易になる。このため、トナーコンテナ４４を装置本体に対して自在に着脱できるように構成されている。
【００４１】
図５は、本実施形態のトナーコンテナに用いられるＲＦＩＤメモリを示す概略図であり、図５（ａ）は平面図、図５（ｂ）は、図５（ａ）の左側から見た側面図である。図６は、本実施形態に用いられるＲＦＩＤメモリが他の部材と積層される状態を示す斜視図であり、図７は、図６のＲＦＩＤメモリ周辺の拡大斜視図である。図８（ａ）は、ＲＦＩＤメモリを含む積層体を示す平面図であり、図８（ｂ）は、図８（ａ）のＹＹ’矢視断面図である。図９は、本実施形態に用いられるＲＦＩＤメモリを含む積層体がトナー充填部に配置された状態を示す斜視図である。
【００４２】
図１〜４と共通する部分には共通する符号を付して説明を省略する。なお、図６及び図９では、ＲＦＩＤメモリが接着される状態を判り易くするため、攪拌部材２及び搬送部材３を省略して示した。
【００４３】
図５に示すように、ＲＦＩＤメモリ（記憶手段）６１は、無線でデータ転送と給電が行われ、電源供給を行わない状態でも書き込まれたデータが消えない不揮発性メモリ（Ｒａｄｉｏ  Ｆｒｅｑｕｅｎｃｙ  ＩＤｅｎｔｉｆｉｃａｔｉｏｎメモリ、非接触型不揮発性メモリ）であり、アンテナ基板６１ａと、アンテナ基板６１ａの表面に配置されたＲＦＩＤ素子６１ｂと、から構成されている。
【００４４】
ＲＦＩＤ素子６１ｂには、仕向地、仕向地別の使用温度条件、標準用紙の紙厚、装置本体の表示部（図示せず）の表示に関する言語などの制御データ等、装置本体の仕様に関するデータ（情報）が書き換え不能に格納されている。また、ここでは、データを書き換え不能とすることにより、装置本体に装着されるまでに格納されたデータの改変等がなされることを防止することができる。
【００４５】
また、装置本体に配置されたトナーコンテナ検知センサ４５（図１参照）により、アンテナ基板６１ｂを介して上記した仕様に関するデータを読み取ることができ、読み取ったデータを不図示の制御部に送信し、制御部は該データが装置本体の仕様と一致しているか否かを判別するようになっている。
【００４６】
図６及び図７に示すように、ＲＦＩＤメモリ６１の裏面（外側面、図の左側面）は、発泡ゴム等から構成される防振板（防振部材）６５と、両面テープ６３により接着されるようになっている。
【００４７】
また、防振板６５の外側面（図の左側面）は、トナー充填部１０の端面部１６の内側面に設けられた貼付面７７と、両面テープ６７により接着されるようになっている。貼付面７７は、端面部１６において攪拌部材２及び搬送部材３が配置されていない位置に設けられている。
【００４８】
一方、ＲＦＩＤメモリ６１の表面（内側面、図の右側面）は、ＰＥＴ等の絶縁性材料から成る絶縁板（絶縁部材）７１の外側面（図の左側面）と、両面テープ６９により接着されるようになっている。また、絶縁板７１の内側面（図の右側面）は、樹脂等から成る補強板（補強部材）７５と、両面テープ７３により、接着されるようになっている。
【００４９】
また、図８に示すように、両面テープ６９及び絶縁板７１におけるＲＦＩＤ素子６１ｂと対向する部分には、略矩形状に切り抜かれた開口部６９ａ、７１ａが形成されており、両面テープ６９及び絶縁板７１がＲＦＩＤ素子６１ｂと接触しないようにスペーサを構成している。なお、ＲＦＩＤ素子６１ｂの高さや両面テープ６９、絶縁板７１の厚み等に応じて、ＲＦＩＤ素子６１ｂに対して各部材が接触しないよう、その他両面テープ７３に開口部を設ける等、開口部を適宜形成することができる。
【００５０】
上記の通り、ＲＦＩＤメモリ６１の外側面を、防振板６５と両面テープ６３により接着すると共に、ＲＦＩＤメモリ６１の内側面に絶縁板７１を両面テープ６９により接着し、絶縁板７１の内側面に補強板７５を両面テープ７３により接着し、さらに防振板６５の外側面に両面テープ６７を接着することにより、ＲＦＩＤメモリ６１を含む積層体６０を形成することができる。
【００５１】
すなわち、図６及び図７において、端面部１６に対する各部材の貼付方向Ｘの下流側から上流側に向かって、両面テープ６７、防振板６５、両面テープ６３、ＲＦＩＤメモリ６１、両面テープ６９、絶縁板７１、両面テープ７３、補強板７５の順に積層することにより、図８に示すように、これらの積層体６０を形成することができる。
【００５２】
そして、トナー充填部１０の貼付面７７に両面テープ６７の外側面を接着する（図６の白抜き矢印参照）ことにより、図９に示すように、積層体６０を貼付面７７に接着することができる。さらに、ＲＦＩＤメモリ６１を含む積層体６０をトナー充填室１０の内側面に接着した後、トナー充填部１０にトナーを充填し、蓋体１１を超音波溶着等の適宜の手段によってトナー充填部１０に固定することにより、トナーコンテナ４４とすることができる。
【００５３】
このように、ＲＦＩＤメモリ６１を、防振材６５を介してトナー充填部１０の内側面に貼付することにより、ＲＦＩＤメモリ６１に対してトナーコンテナ４４の外部から直接触れることができない。これにより、ＲＦＩＤメモリ６１が故意に、若しくは外部環境との接触等により剥離されることを防止することができる。また、外部環境との接触よるＲＦＩＤメモリ６１の破損を防止することができる。
【００５４】
さらに、ＲＦＩＤメモリ６１を、防振材６５を介してトナー充填部１０に固定したため、トナー充填部１０にトナーを充填し、蓋体１１を超音波溶着等により固定する際の振動や、輸送時等における振動が発生しても、ＲＦＩＤメモリ６１の振動を抑えることができるため、ＲＦＩＤメモリ６１に格納されたデータの破損やＲＦＩＤメモリ６１の破損を防止することができる。
【００５５】
加えて、ＲＦＩＤメモリ６１に格納されたデータをトナーコンテナ検知センサ４５により読み取ることができるため、装置本体に対して異なる仕様のトナーコンテナ４４が装着されても読み取り結果に基づきその正誤を判別できる。これにより、仕様の異なるトナーコンテナ４４の誤装着を防止することが可能となり、かかる誤装着によって生じる画像形成不良や、トナーの飛散等によって生じる装置本体内外に対する汚染等の不具合を防止することができる。
【００５６】
防振板６５の材質は、トナーコンテナ４４の振動がＲＦＩＤメモリ６１に及ぼす不具合を防止可能であればよく、上記発泡ゴムに特に限定されるものではない。かかる材質は、例えば防振性やＲＦＩＤメモリ６１の感度への影響等を考慮して適宜選択することができる。また、防振板６５の厚みが大きくなれば防振効果が大きくなる一方、ＲＦＩＤメモリ６１の感度に影響を及ぼすおそれがある。従って、例えばかかる観点を考慮して防振板６５の厚みを適宜設定することができる。
【００５７】
また、本実施形態では、ＲＦＩＤメモリ６１の内側面に、絶縁板７１を接着したため、トナーの摩擦等によって静電気が発生しても、発生した静電気によるＲＦＩＤメモリ６１に格納された情報の破損を防止することができる。しかし、絶縁板７１は必ずしも必要ではなく、絶縁板７１を用いない構成とすることもできる。また、補強板７５を絶縁性材料から形成し、補強板７５が絶縁板７１を兼ねる構成とすることもできる。
【００５８】
また、絶縁板７１の材質は、上記ＰＥＴ等に限定されるものではない。絶縁板７１の厚みを大きくすれば、絶縁性を向上させることができると共に振動等により衝突するトナーの衝撃も、より軽減することができる一方、ＲＦＩＤメモリ６１の感度に影響を及ぼすおそれがある。また、塑性変形しないような絶縁材料を用いれば、より一層トナーからの衝撃を軽減することができる。
【００５９】
従って、絶縁板７１の厚みや材質等は、例えばこれらを考慮して適宜設定することができる。かかる絶縁板７１は、例えば耐圧１０ｋＶ以上の絶縁性材料から形成することにより、ＲＦＩＤメモリ６１を静電気から十分に保護することができる。
【００６０】
また、本実施形態では、絶縁板７１の内側面に、補強板７５を接着したため、振動等によりＲＦＩＤメモリ６１に対して衝突するトナーの衝撃を軽減することができる一方、ＲＦＩＤメモリ６１の感度に影響を及ぼすおそれもある。これにより、ＲＦＩＤメモリ６１の破損を、より防止することができる。しかし、補強板７５は必ずしも必要ではなく、補強板７５を用いない構成とすることもできる。また、絶縁板７１を上記した塑性変形しないような絶縁性材料から形成し、絶縁板７１が補強板７５を兼ねる構成とすることもできる。
【００６１】
また、補強板７５の材質は、上記樹脂等に限定されるものではない。補強板７５の厚みを大きくすれば、ＲＦＩＤメモリ６１へのトナーの衝撃を、より軽減することができる。従って、補強板７５の厚みは、例えばかかる観点を考慮して適宜設定することができる。
【００６２】
かかる補強板７５として、例えば４０Ｎ以上の衝撃によっても塑性変形しないような部材を用いることができる。また、トナーにより発生した静電気をＲＦＩＤメモリ６１側へと移行させない観点から、補強板７５を樹脂材料等の非導電性材料から形成することが好ましい。
【００６３】
なお、本実施形態では、ＲＦＩＤメモリ６１の内側面に対して絶縁板７１、補強板７５の順に配置したため、ＲＦＩＤメモリ６１に対して静電気を直接的に遮断することができ、効果的である。しかし、絶縁板７１及び補強板７５の配置順序は特に限定されるものではなく、静電気の発生状況、充填されるトナーの種類等に応じ、ＲＦＩＤメモリ６１に対して補強板７５、絶縁板７１の順に配置する等、適宜設定することもできる。
【００６４】
また、本実施形態では、両面テープ６３、６７、６９、７３を用いて防振板６５、ＲＦＩＤメモリ６１、絶縁板７１、補強板７５を接着し、積層体６０を形成すると共に、該積層体６０をトナー充填部１０の内側面に接着した。しかし、これらの接着方法は、各々を、振動等が発生しても剥がれることなく固定可能であれば特に限定されず、その他、例えば接着剤等を用いることもできる。また、ここでは、積層体６０を形成してから貼付面７７に接着したが、各部材を貼付面７７に順次接着することもできる。
【００６５】
また、本実施形態では、トナー充填部１０の端面部１６にＲＦＩＤメモリ６１を接着したが、かかる接着配置は、ケーシング９の内側面であれば特に限定されるものではなく、トナー充填部１０の端面部１５、両側面部１４ａ、１４ｂ等に接着することもできる。また、蓋体１１の内側面等に接着することもできる。また、本実施形態では、ＲＦＩＤメモリ６１を書き換え不能としたが、使用目的や用途等に応じて書き換え可能とすることもできる。
【００６６】
その他本発明は、上記各実施形態に限定されず、本発明の趣旨を逸脱しない範囲で種々の変更が可能である。例えば、上記実施形態では、本発明に係るトナー含有ユニットとしてトナーコンテナを挙げて説明したが、本発明はこれに限定されるものではなく、内部にトナーを含有し装置本体に着脱可能であれば、その他、現像ユニット、クリーニングユニットや、さらに感光体ドラム、帯電器、露光器及びトナーコンテナ等を適宜一体化したプロセスユニット等にも勿論適用可能である。
【産業上の利用可能性】
【００６７】
本発明は、装置本体に着脱可能であり、内部にトナーを含有するケーシングを備えたトナー含有ユニットであって、装置本体に設けられた読取手段により非接触に読み取り可能であり、装置本体の仕様に関する情報が格納された記憶手段を有し、該記憶手段は、防振部材を介して前記ケーシングの内側面に接着されるものである。
【００６８】
これにより、記憶手段に対する外部との接触を防止して剥離や破損を防止することができると共に、振動等が発生しても格納された情報及び記憶手段の破損を防止することができ、加えて仕様の異なるユニットの誤装着を防止することができる。また、記憶手段の内側面に、絶縁材料を接着することにより、トナーの摩擦等によって静電気が発生しても、かかる静電気による記憶手段に格納された情報の破損を防止することができる。
【００６９】
また、絶縁材料の内側面に、補強部材を接着することにより、振動等によって発生するトナーの記憶手段への衝突を防止し、記憶手段の破損を、より防止することができる。また、上記情報を、書き換え不能とすることにより、装置本体に装着されるまでに格納されたデータの改変等がなされることを防止することができる。
【００７０】
また、上記トナー含有ユニットを備えた画像形成装置とすることにより、仕様の異なるトナー含有ユニットが誤装着された状態で画像形成を行うことを防止することができるため、画質の低下やトナーの飛散等を防止することができる。
【図面の簡単な説明】
【００７１】
【図１】は、本発明に係るトナーコンテナが装着された画像形成装置の一例の全体構成を示す概略図である。
【図２】は、本実施形態に係るトナーコンテナの概略平面図である。
【図３】は、図２の矢印Ａ方向から見た側面断面図である。
【図４】は、トナーコンテナを下方向から見た斜視図である。
【図５】は、本実施形態のトナーコンテナに用いられるＲＦＩＤメモリを示す概略図であり、図５（ａ）は平面図、図５（ｂ）は、図５（ａ）の左側から見た側面図である。
【図６】は、本実施形態に用いられるＲＦＩＤメモリが他の部材と積層される状態を示す斜視図である。
【図７】は、図６のＲＦＩＤメモリ周辺の拡大斜視図である。
【図８】は、ＲＦＩＤメモリを含む積層体を示す図であり、図８（ａ）は、平面図であり、図８（ｂ）は、図８（ａ）のＹＹ’矢視断面図である。
【図９】は、本実施形態に用いられるＲＦＩＤメモリを含む積層体がトナー充填部に配置された状態を示す斜視図である。
【符号の説明】
【００７２】
９            ケーシング
１０            トナー充填部
１１            蓋体
１４ａ、１４ｂ  側面部
１５、１６      端面部
２１            現像ユニット
４１            感光体ドラム
４２            帯電部
４３            画像書込部
４４            トナーコンテナ（トナー含有ユニット）
４６            転写部
４７            クリーニング部
５２            搬送部
５３            定着部
６０            積層体
６１            ＲＦＩＤメモリ（記憶手段）
６１ａ          アンテナ基板
６１ｂ          ＲＦＩＤ素子
６３、６７、６９、７３  両面テープ
６９ａ          開口部
６５            防振板（防振部材）
７１            絶縁板（絶縁部材）
７１ａ          開口部
７５            補強板（補強部材）
１００          画像形成装置
【図１】
2010032948.tif 000003
【図２】
2010032948.tif 000004
【図３】
2010032948.tif 000005
【図４】
2010032948.tif 000006
【図５】
2010032948.tif 000007
【図６】
2010032948.tif 000008
【図７】
2010032948.tif 000009
【図８】
2010032948.tif 000010
【図９】
2010032948.tif 000011